(57)【要約】      （修正有）【課題】既設の踏切遮断機などに対して簡単に取付可能なＬＥＤを用いた踏切遮断機用警告灯を提供する。【解決手段】踏切遮断機用警告灯は遮断棒３に取り付けた複数個のＬＥＤランプからなる警告表示部１３、１４と、遮断棒３の傾きを検出するために当該遮断棒に取り付けた傾きセンサー１５と、この傾きセンサー１５の出力に基づき警告表示部１３、１４の点灯制御を行うコントローラー３１とを有している。遮断棒３が開き位置から閉じ位置に向かう閉じ動作においては設定傾斜角度θｏの位置を通過した時点から警告表示部１３、１４の点灯駆動を開始し、遮断棒３が閉じ位置から開き位置に戻る開き動作においては設定傾斜角度θｏの位置を通過した時点で警告表示部１３、１４を消灯する。【選択図】図２
0003154307.tif 000002
【実用新案登録請求の範囲】
【請求項１】
踏切遮断機の遮断棒に取り付けたＬＥＤランプと、
前記遮断棒がその開き位置および閉じ位置の間における予め定めた設定移動位置を通過したことを検出するために当該遮断棒に取り付けたセンサーと、
前記センサーの出力に基づき前記ＬＥＤランプの点灯制御を行う点灯制御回路とを有しており、
前記点灯制御回路は、前記遮断棒が前記開き位置から前記閉じ位置に向かう閉じ動作においては前記設定移動位置を通過した時点から前記ＬＥＤランプを所定の駆動形態で点灯駆動し、この後は前記ＬＥＤランプの点灯駆動状態を維持し、前記遮断棒が前記閉じ位置から前記開き位置に向かう開き動作においては前記設定移動位置を通過した時点で前記ＬＥＤランプを消灯することを特徴とする踏切遮断機用警告灯。
【請求項２】
前記設定移動位置は、前記遮断棒の前記閉じ位置から所定の角度だけ傾斜した設定傾斜位置であり、
前記センサーは前記遮断棒の前記閉じ位置からの傾斜角度を検出するために当該遮断棒に取り付けて使用する傾きセンサーであることを特徴とする請求項１に記載の踏切遮断機用警告灯。
【請求項３】
前記センサーは高度センサーであり、
前記設定移動位置は、前記遮断棒における前記センサーの高さ位置が前記閉じ位置から所定の距離だけ降下した位置であることを特徴とする請求項１に記載の踏切遮断機用警告灯。
【請求項４】
前記ＬＥＤランプおよび前記点灯制御回路に給電するための太陽光発電ユニットを有しており、
当該太陽光発電ユニットは、ソーラーパネルと、このソーラーパネルから得られる発電電力を蓄えるバッテリーと、電力供給制御回路とを備えており、
前記電力供給制御回路は、前記発電電力および前記バッテリーの蓄電電力の前記ＬＥＤランプおよび前記点灯制御回路への供給制御と、前記バッテリーへの蓄電制御とを行うことを特徴とする請求項１ないし３のうちのいずれかの項に記載の踏切遮断機用警告灯。
【請求項５】
前記電力供給制御回路は外部からの給電用端子を備えていることを特徴とする請求項４に記載の踏切遮断機用警告灯。
【請求項６】
請求項１ないし５のうちのいずれかの項に記載の踏切遮断機用警告灯を備えていることを特徴とする踏切遮断機。
【考案の詳細な説明】
【技術分野】
【０００１】
本考案は、踏切遮断機の遮断棒の移動に伴って列車通過の警告表示を行う踏切遮断機用警告灯に関する。さらに詳しくは既存の踏切遮断機に簡単に取り付けて用いることのできるＬＥＤランプを用いた踏切遮断機用警告灯、および、当該踏切遮断機用警告灯が取り付けられた踏切遮断機に関する。
【背景技術】
【０００２】
踏切遮断機に用いる警告表示ランプとしては寿命の長いＬＥＤランプの使用が提案されている。特許文献１においては、直列接続された多数個のＬＥＤが内蔵された遮断棒が提案されており、踏切を電車などが通過する際には、遮断機によって遮断棒が閉じて、ＬＥＤからなる内蔵の遮断機警告灯が点灯する。特許文献２においても、ＬＥＤが内蔵された遮断棒が提案されている。当該文献に開示の踏切遮断機の表示装置では、列車検知センサーによって列車が検知されると、遮断棒が閉じると共に遮断棒に内蔵してあるＬＥＤが点灯するようになっている。
【先行技術文献】
【特許文献】
【０００３】
【特許文献１】実開平５−１２３５３号公報
【特許文献２】実用新案登録第３１２０７９７号公報
【考案の概要】
【考案が解決しようとする課題】
【０００４】
従来のＬＥＤを用いた遮断機警告灯あるいは踏切遮断機の表示装置は遮断機に予め組み込まれており、その駆動制御は、遮断棒を開閉制御する遮断制御回路によって行われる。したがって、既設の踏切遮断機に組み込む場合は、その制御回路、遮断棒の設計変更、部品交換などが必要である。
【０００５】
本考案の課題は、この点に着目して、既設の踏切遮断機に対して簡単に取付可能なＬＥＤを用いた踏切遮断機用警告灯、および、当該踏切遮断機用警告灯を備えた踏切遮断機を提案することにある。
【課題を解決するための手段】
【０００６】
上記の課題を解決するために、本考案の踏切遮断機用警告灯は、
踏切遮断機の遮断棒に取り付けたＬＥＤランプと、
前記遮断棒がその開き位置および閉じ位置の間における予め定めた設定移動位置を通過したことを検出するために当該遮断棒に取り付けたセンサーと、
前記センサーの出力に基づき前記ＬＥＤランプの点灯制御を行う点灯制御回路とを有しており、
前記点灯制御回路は、前記遮断棒が前記開き位置から前記閉じ位置に向かう閉じ動作においては前記設定移動位置を通過した時点から前記ＬＥＤランプを所定の表示形態で点灯駆動し、この後は前記ＬＥＤランプの点灯駆動状態を維持し、前記遮断棒が前記閉じ位置から前記開き位置に向かう開き動作においては前記設定移動位置を通過した時点で前記ＬＥＤランプを消灯することを特徴としている。
【０００７】
本考案の踏切遮断機用警告灯では、遮断棒に取り付けたセンサーに基づき遮断棒に取り付けたＬＥＤランプの点灯駆動を制御している。したがって、遮断棒を開閉する踏切遮断機の制御回路によってＬＥＤランプの点灯駆動制御を行う必要がない。よって、既設の踏切遮断機にも簡単に取り付けて用いることができる。新設の踏切遮断機に用いることができることは勿論である。
【０００８】
ここで、踏切遮断機は踏切の側方位置を中心として垂直に立っている状態の開き位置から水平に倒れた閉じ位置までの間を回動する回動式のものが一般的である。したがって、センサーとしては、遮断棒の傾斜角度を検出する傾きセンサーを用いることができる。この場合には、当該傾きセンサーによって遮断棒が閉じ位置から所定の角度だけ傾斜したことを検出して、ＬＥＤランプの点灯制御を行えばよい。
【０００９】
また、センサーとしては高度センサーを用いることができる。回動式の遮断棒の場合には、遮断棒における開閉側の先端部に高度センサーを取り付けておき、その先端部が最も高い位置から所定の落差の位置まで降下した時点を高度センサーによって検出して、ＬＥＤランプの点灯駆動を制御すればよい。
【００１０】
次に、本考案の踏切遮断機用警告灯は、前記ＬＥＤランプおよび前記点灯制御回路に給電するための太陽光発電ユニットを有していることが望ましい。太陽光発電ユニットは、ソーラーパネルと、このソーラーパネルから得られる発電電力を蓄えるバッテリーと、電力供給制御回路とを備えており、前記電力供給制御回路は、前記発電電力および前記バッテリーの蓄電電力の前記ＬＥＤランプおよび前記点灯制御回路への供給制御と、前記バッテリーへの蓄電制御とを行うことが望ましい。
【００１１】
太陽光発電ユニットを備えていれば、商用電源から給電を行うための配線工事が不要なので、本考案の踏切遮断機用警告灯を簡単に既設の踏切遮断機に取り付けることができる。勿論、太陽光発電による電力不足の場合に、踏切遮断機の側からの給電、あるいは商用電力の供給を受けることができるように給電用端子を設けておき、配線を行うことも可能である。
【００１２】
一方、本考案の踏切遮断機は、上記構成の踏切遮断機用警告灯が取り付けられていることを特徴としている。踏切遮断機用警告灯は、遮断棒の閉じ動作が開始されると点灯するので、ＬＥＤランプを開き位置にある遮断棒における高い位置に取り付けておけば、遠くからでも目視でき、また、前方にトラックなどが走っている場合においても目視することができる。
【考案の効果】
【００１３】
本考案においては、遮断棒に取り付けたセンサーによって当該遮断棒が開き位置から閉じ位置に移動することを検出し、これに基づき遮断棒に取り付けたＬＥＤランプを点灯駆動するようにしている。したがって、ＬＥＤランプの点灯制御を踏切遮断機の制御回路によって行う必要がない。よって、既設の踏切遮断機に簡単に取り付けて用いることができる。
【図面の簡単な説明】
【００１４】
【図１】本考案を適用した踏切遮断機用警告灯が取り付けられた踏切遮断機を示す説明図である。
【図２】図１の踏切遮断機の制御系を示す概略ブロック図である。
【図３】図１の踏切遮断機用警告灯の動作を示す概略フローチャートである。
【考案を実施するための形態】
【００１５】
以下に、図面を参照して本考案の実施の形態に係る踏切遮断機を説明する。
【００１６】
図１は、本実施の形態に係る踏切遮断機用警告灯を付設した踏切遮断機を示す説明図である。踏切遮断機１は、踏切２に配置されている遮断棒３と、この遮断棒３をほぼ垂直に立てた開き位置３Ａから略水平に倒れた閉じ位置３Ｂまでの間を回動させる開閉駆動機構４が内蔵されている駆動ユニット５と、踏切２の側方位置に配置されている信号機８を備えている。遮断棒３は、その下側の後端部３ａに錘６が取り付けられており、この錘６よりも上側の回動支軸７を中心として、図における実線で示す開き位置３Ａと想像線で示す閉じ位置３Ｂの間を回動する。
【００１７】
踏切遮断機１に付設されている踏切遮断機用警告灯１０は、遮断棒３に取り付けた２組の警告表示板１１、１２と、警告表示板１１、１２の表面に配列されている複数個のＬＥＤランプからなる警告表示部１３、１４と、遮断棒３の先端部３ｂに取り付けた傾きセンサー１５とを備えている。また、警告表示部１３、１４に駆動電力を供給するための太陽光発電ユニット１６を備えている。太陽光発電ユニット１６は、踏切側方位置に立設したポール１７の上端に取り付けたソーラーパネル１８を備えている。
【００１８】
図２は踏切遮断機１および踏切遮断機用警告灯１０の制御系を示す概略ブロック図である。踏切遮断機１の制御系は踏切制御器２１を中心に構成されており、踏切制御器２１は予め設定されているシーケンスに従って、あるいは、上位機器からの制御指令に基づき、列車通過時に、所定のタイミングで開閉駆動機構４を駆動して遮断棒３を開き位置３Ａから閉じ位置３Ｂに回動して踏切２を遮断する。また、踏切２の遮断時には信号機ドライバー２２を介して信号機８を点滅駆動して列車が通過することを警告する。
【００１９】
踏切遮断機用警告灯１０の制御系は、たとえばコンピュータからなるコントローラー３１を中心に構成されている。コントローラー３１は、警告ランプの点灯制御回路および太陽光発電ユニットの電力供給制御回路として機能する。すなわち、コントローラー３１には、太陽光発電ユニット１６のソーラーパネル１８による発電電力を蓄えるバッテリー３２が接続されている。また、コントローラー３１には遮断棒３に取り付けた傾きセンサー１５からの信号が入力され、当該入力に基づき、遮断棒３の傾きを検出する。コントローラー３１の出力側にはＬＥＤドライバー３３が接続されており、このＬＥＤドライバー３３を介して、複数個のＬＥＤランプからなる２組の警告表示部１３、１４が点灯駆動される。
【００２０】
ここで、コントローラー３１には、そのメモリ内に、遮断棒３の設定傾斜角度θｏが設定されている。設定傾斜角度θｏは、たとえば、図１に示すように、遮断棒３の開き位置３Ａからの傾斜角度である。
【００２１】
図３は踏切遮断機用警告灯１０の動作を示す概略フローチャートである。この図に従って説明すると、コントローラー３１は傾きセンサー１５からの検出信号を一定のサンプリング周期でサンプリングしており（ステップＳＴ１）、検出信号に基づく遮断棒３の開き位置３Ａからの傾斜角度θａが設定傾斜角度θｏ以上であるか否かを判別している（ステップＳＴ２）。換言すると、遮断棒３の開き位置から閉じ方向への移動の開始を監視している。
【００２２】
踏切２に列車が接近すると、踏切遮断機１の踏切制御器２１は開閉駆動機構４を駆動して、遮断棒３を閉じる方向に回動させる。遮断棒３が開き位置３Ａから閉じ位置３Ｂに回動する閉じ動作において、遮断棒３が設定傾斜角度θｏの設定傾斜位置３Ｃ（図１参照）を通過すると、コントローラー３１によって遮断棒３の傾斜角度θａが設定傾斜角度θｏを超えたことが検出される。
【００２３】
この時点から、コントローラー３１はＬＥＤドライバー３３を介して警告表示部１３、１４を予め定めた表示駆動形態、たとえば、一定の周期で点滅を繰り返す形態での点灯駆動を開始する（ステップＳＴ２→ＳＴ３）。警告表示部１３、１４は閉じ始める遮断棒３に取り付けられており、比較的高い位置にあるので、遠くからでも視認でき、また、トラックなどの後に並んでいる普通自動車の運転手にとっても見やすい。
【００２４】
遮断棒３は閉じ位置３Ｂまで回動した後は、列車が通過し終えるまでは閉じ位置に保持され、列車が通過し終えると、踏切制御器２１によって閉じ位置３Ｂから開き位置３Ａに戻る動作が始まる。
【００２５】
遮断棒３が閉じ位置３Ａの手前の設定傾斜角度θｏの位置まで戻ると、コントローラー３１は遮断棒３の傾斜角度θａが設定傾斜角度θｏよりも小さくなったことを検出する。この後は、コントローラー３１は警告表示部１３、１４の点滅駆動を停止して、これらを消灯状態に戻す（ステップＳＴ４、ＳＴ５）。
【００２６】
本例の踏切遮断機用警告灯１０は、遮断棒３に取り付けた傾きセンサー１５からの検出信号に基づき遮断棒３に取り付けたＬＥＤからなる警告ランプ１３、１４を点灯駆動している。また、太陽光発電ユニット１６による発電電力を駆動電力源として動作する。したがって、既設の踏切遮断機１に簡単に付設することができる。また、新設の踏切遮断機に組み込む作業も簡単である。
【００２７】
なお、太陽光発電ユニット１６による電力不足に対応するためには踏切制御器２１の側から商用電力の供給を受ける給電端子を配置しておけばよい。また、遮断棒３の位置を検出するための検出手段としては、傾きセンサーの代わりに高度センサーを用いることも可能である。この場合には、閉じ位置３Ａに位置している遮断棒３に取り付けた高度センサーの高さ位置を基準として、当該高さ位置からの降下量に基づき警告表示部１３、１４の点灯駆動制御を行えばよい。さらに、遮断棒３は水平状態を維持したまま降下して踏切を遮断する形態のものもある。この場合には、遮断棒３の移動位置を検出し、それに基づき警告表示部１３、１４の点灯駆動制御を行うようにすればよい。
【符号の説明】
【００２８】
１    踏切遮断機
２    踏切
３    遮断棒
３Ａ  開き位置
３Ｂ  閉じ位置
３Ｃ  設定傾斜角度の位置
３ａ  後端部
３ｂ  先端部
４    開閉駆動機構
５    駆動ユニット
６    錘
７    回転支軸
８    信号機
１０  踏切遮断機用警告灯
１１、１２  警告表示板
１３、１４  警告表示部
１６  太陽光発電ユニット
１７  ポール
１８  ソーラーパネル
２１  踏切制御器
２２  信号機ドライバー
３１  コントローラー
３２  バッテリー
３３  ＬＥＤドライバー
θａ  検出された傾斜角度
θｏ  設定傾斜角度
【図１】
0003154307.tif 000003
【図２】
0003154307.tif 000004
【図３】
0003154307.tif 000005